(57)【要約】【課題】電気製品への電力の供給を簡易に行うために有利な収容具が提供されうる。【解決手段】収容具１は、電源タップおよび電源プラグを収容する収容具に係り、収容具１は、第１端１０１に狭窄可能な開口１０５を有し、第１端１０１の反対側の第２端１０２の近傍に支持体によって支持される被支持部１０６を有する袋状カバー１００を含む。【選択図】図１
2018190635.tif 000002
【特許請求の範囲】
【請求項１】
電源タップおよび電源プラグを収容する収容具であり、
第１端に狭窄可能な開口を有し、前記第１端の反対側の第２端の近傍に支持体によって支持される被支持部を有する袋状カバーを含むことを特徴とする収容具。
【請求項２】
前記袋状カバーにマチが設けられている、
ことを特徴とする請求項１に記載の収容具。
【請求項３】
前記マチは、前記第１端と前記第２端とを接続する第３端と、前記第１端と前記第２端とを接続し前記第３端とは反対側の第４端とにそれぞれ設けられている、
ことを特徴とする請求項２に記載の収容具。
【請求項４】
前記被支持部は、孔である、
ことを特徴とする請求項１乃至３のいずれか１項に記載の収容具。
【請求項５】
前記袋状カバーは、互いに対面する第１シート部および第２シート部を含み、前記第１端が前記第１シート部の一端および前記第２シート部の一端によって構成され、前記第１シート部および前記第２シート部には、前記開口を狭窄するためのファスナーが設けられている、
ことを特徴とする請求項１乃至４のいずれか１項に記載の収容具。
【請求項６】
前記ファスナーは、前記第１シート部および前記第２シート部の互いに対向する面にそれぞれ設けられた面ファスナーを含む、
ことを特徴とする請求項５に記載の収容具。
【請求項７】
前記第１端から前記第２端に向かう方向における前記面ファスナーの長さは、５ｃｍ以上かつ２０ｃｍ以下である、
ことを特徴とする請求項６に記載の収容具。
【請求項８】
前記面ファスナーの長手方向が前記第１端から前記第２端に向かう方向に沿っている、
ことを特徴とする請求項６又は７に記載の収容具。
【請求項９】
前記ファスナーは、長手方向が前記第１端から前記第２端に向かう方向に沿った少なくとも２組の面ファスナーを含む、
ことを特徴とする請求項６乃至８のいずれか１項に記載の収容具。
【請求項１０】
前記袋状カバーは、収容された前記電源タップおよび前記電源プラグを外部から視認可能に構成されている、
ことを特徴とする請求項１乃至９のいずれか１項に記載の収容具。
【請求項１１】
前記袋状カバーは、透明な素材で構成されている、
ことを特徴とする請求項１０に記載の収容具。
【請求項１２】
前記袋状カバーは、防水性の素材で構成されている、
ことを特徴とする請求項１乃至１１のいずれか１項に記載の収容具。
【請求項１３】
前記袋状カバーは、塩化ビニルで構成されている、
ことを特徴とする請求項１乃至１２のいずれか１項に記載の収容具。
【発明の詳細な説明】
【技術分野】
【０００１】
本発明は、電源タップおよび電源プラグを収容する収容具に関する。
【背景技術】
【０００２】
厨房等のように水が使われる環境では、電気製品に電力を供給するためのコンセントは、水がかからない場所に設置されるか、防水仕様のものが使用される。しかし、新たな電気製品を追加したい場合において、コンセントの差込口が不足しうる。例えば、ビールサーバー等の飲料サーバーには、飲料を通常の温度よりも低い温度まで冷却するためのオプションや、自動注出のためのオプションなどが提供されており、これらのオプションを使用する場合には、追加のコンセントが要求されうる。
【先行技術文献】
【特許文献】
【０００３】
【特許文献１】特開２００６−２４４７１９号公報
【発明の概要】
【発明が解決しようとする課題】
【０００４】
上記のような場合において、コンセントを増設する工事を行うためには費用や時間がかかる。また、防水性のコネクタを使用することも考えられるが、このような方法では、電力の供給側のコネクタの仕様と電力の受け側のコネクタの仕様とを合わせる必要があるので、汎用性の面で好ましくない。
【０００５】
本発明は、電気製品への電力の供給を簡易に行うために有利な収容具を提供することを目的とする。
【課題を解決するための手段】
【０００６】
本発明の収容具は、電源タップおよび電源プラグを収容する収容具に係り、前記収容具は、第１端に狭窄可能な開口を有し、前記第１端の反対側の第２端の近傍に支持体によって支持される被支持部を有する袋状カバーを含む。
【発明の効果】
【０００７】
本発明は、電気製品への電力の供給を簡易に行うために有利な収容具が提供される。
【図面の簡単な説明】
【０００８】
【図１】本発明の一実施形態の収容具を示す斜視図。
【図２】本発明の一実施形態の収容具の使用例を示す図。
【発明を実施するための形態】
【０００９】
以下、図１および図２を参照しながら本発明をその例示的な実施形態を通して説明する。
【００１０】
本発明の一実施形態の収容具１は、電源タップ２１０および電源プラグ２２０を収容するように構成されている。電源タップ２１０は、テーブルタップと呼ばれることもあり、電源タップ２１０に接続されたコード２１１の先端に設けられた不図示のプラグは、不図示のコンセントの差込口に挿入されうる。電源プラグ２２０は、電源タップ２１０の差込口２２２に挿入される。電源プラグ２２０に接続されたコード２２１は、不図示の電気製品に接続されうる。
【００１１】
収容具１は、袋状カバー１００を含む。袋状カバー１００は、第１端１０１に狭窄可能な開口１０５を有し、第１端１０１の反対側の第２端１０２の近傍に被支持部１０６を有しうる。被支持部１０６は、厨房の壁等の構造体に固定された支持体２３０によって支持されうる。被支持部１０６は、例えば、孔でありうるが、何らかの支持体によって支持されうる構造を有すればよく、その構造は、特定のものには限定されない。収容具１は、被支持部１０６が支持体２３０によって支持され、吊り下げ状態で配置されうる。第１端１０１に設けられた狭窄可能な開口１０５は、吊り下げ状態において下方を向く。したがって、収容具１あるいは袋状カバー１００に水等の液体がかかっても電源タップ２１０および電源プラグ２２０が濡れることがない。
【００１２】
袋状カバー１００には、マチ１０９が設けられうる。マチ１０９を設けることによって、袋状カバー１００による電源タップ２１０、電源プラグ２２０ならびにコード２１１および２２１等の収容物に対する過度の圧迫を抑えつつ、容積を確保することができる。マチ１０９は、袋状カバー１００の第３端１０３および第４端１０４に設けられうる。ここで、第３端１０３は、袋状カバー１００の第１端１０１と第２端１０２とを接続する端部であり、第４端１０４は、第１端１０１と第２端１０２とを接続し第３端１０３とは反対側の端部である。その他、マチ１０９は、第２端１０２にも設けられてもよい。
【００１３】
袋状カバー１００は、互いに対面する第１シート部１１１および第２シート部１１２を含みうる。第１端１０１は、第１シート部１１１の一端および第２シート部１１２の一端によって構成されうる。第１シート部１１１および第２シート部１１２には、開口１０５を狭窄するための面ファスナー１１０等のファスナーが設けられうる。面ファスナー１１０等のファスナーは、収容物を袋状カバー１００内に挿入した後に開口１０５を狭窄可能であればよく、その構造は特定のものに限定されない。狭窄可能とは、収容物を収容具１の袋状カバー１００内に挿入する際の開口１０５の断面積よりも、その後の開口１０５の断面積を小さくすることが可能であることを意味する。
【００１４】
面ファスナー１１０は、例えば、第１シート部１１１および第２シート部１１２の互いに対向する面にそれぞれ設けられうる。第１端１０１から第２端１０２に向かう方向ＤＩＲにおける面ファスナー１１０の長さＬは、５ｃｍ以上かつ２０ｃｍ以下であることが好ましく、１０ｃｍ以上かつ１５ｃｍ以下であることが更に好ましい。このような寸法は、電源タップ２１０および電源プラグ２２０等の収容物を袋状カバー１００の中により確実に保持し収容物が落下することを防止しつつ、収容具１の全体の大きさを制限するために有利である。また、このような寸法は、水等を使って床等を洗浄する際に水等が袋状カバー１００内の電源タップ２１０および電源プラグ２２０に付着することを防止する上で有利である。面ファスナー１１０は、その長手方向が、第１端１０１から第２端１０２に向かう方向ＤＩＲに沿うように配置されうる。一例において、長手方向が第１端１０１から第２端１０２に向かう方向ＤＩＲに沿った少なくとも２組の面ファスナー１１０が設けられうる。これは、図２に例示されるように、１つの組の面ファスナー１１０と他の組の面ファスナー１１０との間に、コード２１１および２２１を配置することによってコード２１１および２２１をより安定的に保持するために有利である。
【００１５】
面ファスナー１１０は、ファスナーの一例に過ぎず、面ファスナー１１０に代えて、開口１０５を狭窄可能な他の種々のファスナー（例えば、線ファスナー、ボタン、クリップ、磁石等）が設けられうる。
【００１６】
袋状カバー１００は、収容された電源タップ２１０および電源プラグ２２０を外部から視認可能に構成されうる。これは、外部から電源タップ２１０および電源プラグ２２０の状態を観察し、不具合の発生を未然に防ぐために効果的である。袋状カバー１００は、例えば、その全体または一部が透明な素材で構成されうる。袋状カバー１００は、防水性の素材で構成されうる。袋状カバーは、例えば、塩化ビニルで構成されうる。
【符号の説明】
【００１７】
１：収容具、１００：袋状カバー、１０１：第１端、１０２：第２端、１０３：第３端、１０４：第４端、１０５：開口、１０６：被支持部、１１０：面ファスナー、１１１：第１シート部、１１２：第２シート部、２１０：電源タップ、２２０：電源プラグ、２１１：コード、２２２：差込口、２２１：コード、２３０：支持体
【図１】
2018190635.tif 000003
【図２】
2018190635.tif 000004